(57)【要約】【課題】作業者が使いやすく、軽量安価な単純な構造で、潤滑油塗布環境の汚損が発生しないようにする。【解決手段】エレベータのガイドレール１のガイド部２に潤滑油４を塗布する給油アタッチメント１１において、手動給油器３に接続し、当該手動給油器３から潤滑油４の供給を受けるための接続側導油管７と、前記接続側導油管７と連通し、前記ガイド部２との間に前記潤滑油４を保持した状態で移動可能であって、前記ガイド部２に前記潤滑油４を注油するための塗布口９が形成された給油側導油管１０と、を備えた。【選択図】図２
2015036320.tif 000002
【特許請求の範囲】
【請求項１】
エレベータのガイドレールのガイド部に潤滑油を供給する油供給装置において、
手動給油器に接続し、当該手動給油器から潤滑油の供給を受けるための接続側導油管と、
前記接続側導油管と連通し、前記ガイド部との間に前記潤滑油を保持した状態で移動可能であって、前記ガイド部に前記潤滑油を注油するための塗布口が形成された給油側導油管と、
を備えたことを特徴とする油供給装置。
【請求項２】
請求項１に記載の油供給装置において、
前記ガイド部が互いに平行な第１及び第２のガイド面と、両者に垂直な第３のガイド面を有し、
前記給油側導油管が前記第１及び第２のガイド面を挟む第１及び第２の導油部と、両導油部と連通し、前記第３のガイド面に対向する第３の導油部とを有し、
前記第３の導油部に前記接続側導油管が接続されていること
を特徴とする油供給装置。
【請求項３】
請求項２に記載の油供給装置において、
前記第１ないし第３の導油部の前記第１ないし第３のガイド面にそれぞれ対向する位置に、前記塗布口が設けられていること
を特徴とする油供給装置。
【請求項４】
請求項１ないし３のいずれか１項に記載の油供給装置において、
前記給油側導油管の断面形状が円環状であること
を特徴とする油供給装置。
【請求項５】
請求項１ないし４のいずれか１項に記載の油供給装置を備えたことを特徴とする手動給油器。
【請求項６】
エレベータのガイドレールのガイド部に潤滑油を塗布する給油方法において、
前記ガイド部との間に前記潤滑油を保持した状態で移動可能であって、前記ガイド部に前記潤滑油を注油するための塗布口が形成された給油側導油管、及び前記給油側導油管に接続された接続側導油管を備えた油供給装置を手動給油器に接続し、
前記給油側導油管によって前記ガイド部を挟み込むようにして前記ガイドレールの前記ガイド部に前記油供給装置を装着し、
前記手動給油器を加圧しながら前記手動給油器を前記ガイド部に沿って移動させ、前記潤滑油を前記給油側導油管に供給して前記塗布口から前記潤滑油を注油して前記ガイド部に付着させること
を特徴とする給油方法。
【請求項７】
請求項６に記載の給油方法において、
前記手動給油器を前記ガイド部に沿って一方向に移動させて前記潤滑油を前記ガイド部に付着させ、
前記潤滑油を付着させた後、前記手動給油器を回転させて前記給油側導油管を前記ガイド部に接触させ、
前記接触後、前記一方向とは逆の他方向に移動させて前記ガイド部に前記潤滑油を一様に延ばして塗布すること
を特徴とする給油方法。
【発明の詳細な説明】
【技術分野】
【０００１】
本発明は、油供給装置、手動給油器及び油供給方法に係り、さらに詳しくはエレベータのガイドレールのガイド部に潤滑油を供給する油供給装置、この油供給装置を備えた手動給油器及びエレベータのガイドレールのガイド部に潤滑油を供給するための油供給方法に関する。
【背景技術】
【０００２】
一般にエレベータには運転を案内するガイドレールが昇降路内に配置され、乗りかご又は釣り合い重り等に前記レールを把握するガイド装置が設けられている。ガイド装置には、シューとレール接触面に潤滑油を補給しながら走行摩擦抵抗を低減するガイド装置の他、回転体を有して走行摩擦抵抗を低減する機構を有するガイド装置、あるいはシューに潤滑性能を持たせることにより前記油供給を必要としないガイド装置等がある。
【０００３】
潤滑油を使用するガイド装置では、気温の影響で潤滑油粘度が変化するに伴い適正な量の潤滑油がガイドレールとシューの接触面に供給されないと走行時に異常音が生じる。また、潤滑油を使用しないガイド装置ではレール表面に油膜が形成されないため、ガイド装置の走行面に錆が発生する。そして、発生した錆により走行抵抗が上昇することにより、ガイド装置の摩耗が促進される。そのため、潤滑油を使用するガイド装置では異常音が生じたとき潤滑油等を追加する作業を行い、潤滑油を使用しないガイド装置ではレール走行面の防錆を目的として潤滑油等を追加する作業が生じる。
【０００４】
そこで、従来では、作業者が手動給油器によってガイドレールに潤滑油等を補給して給油する方法、あるいは、給油口の先端にボール状の摺動材を設け、３方向から潤滑油を供給する給油装置（特許文献１参照）が提案されている。
【０００５】
この特許文献１には、走行体の移動方向の左右にガイドレールを設け、走行体の両端に設けられた摺動部材を各ガイドレールに沿って摺動させる走行体の支持機構であって、複数の摺動部材が、１のガイドレールに対し、少なくとも異なる３方向から摺接することにより、走行体の移動方向をガイドレールに沿って上下及び左右方向に規制する規制手段を有し、上記摺動部材が、ネジの先端部に嵌入されガイドレール面に摺動して回転されるボール状のものであり、ネジが、その内部に潤滑油を収容するとともにその先端部の摺動部材の回転によりガイドレールとの摺動面に潤滑油を供給可能である走行体の支持機構が記載されている。
【先行技術文献】
【特許文献】
【０００６】
【特許文献１】特開２０００−１５１９２１号公報
【発明の概要】
【発明が解決しようとする課題】
【０００７】
ところで、エレベータのガイドレールとガイド装置の接触面に不定期な周期でかつ適量の潤滑油等を給油方法では、
・手動給油器を使用して作業者が一定の距離を隔ててガイド装置とガイドレールとが接触するガイド面の１面ずつ３面塗布する作業が必要である（図１０参照）。  
・作業には多くの手間がかかり、給油の適量も作業者ごとに異なる。  
・手動給油器の先端がガイドレールのガイド面から離れやすく、潤滑油等がエレベータのかご上や昇降路内に滴下、飛散しやすく、かご上や昇降路内の汚損の原因となる（図１１参照）。  
などの問題が発生する。
【０００８】
図１０及び図１１は従来技術の問題点を説明するためのもので、図１０は潤滑油塗布部分を上から見た断面図、図１１は正面側から見た要部正面図である。図１０において、エレベータのガイドレール１の潤滑油を塗布するガイド部２は、互いに平行な第１及び第２ガイド面２Ａ，２Ｂとこれらに対して垂直な第３ガイド面２Ｃの３面を備えている。作業者は任意の時間にエレベータが設置された場所でガイドレール１のガイド部２に対して汎用の手動給油器３を用いて第１ないし第３ガイド面２Ａ，２Ｂ，２Ｃのそれぞれに対して潤滑油を塗布することになる。例えば作業者が目測を誤り、第３ガイド面２Ｃと手動給油器３の先端３Ａとの間に空間５が形成されると、手動給油器３の先端から押し出される潤滑油の油滴４Ａは第３ガイド面２Ｃに付着せずに、下方に落下する滴下油滴４Ｂとなる。滴下油滴４Ｂは、そのまま下方に落下し、あるいは空気抵抗により飛散して図示しないエレベータかご上に落ち、あるいは昇降路の内壁に付着し、これらを汚損させてしまう結果となっていた。
【０００９】
また、特許文献１に示す供給装置は
・運搬には重く、エレベータ乗りかごに常設するには大きい。  
・不定期な周期での動作を求められる装置としては構造が複雑となり、高価格である。  ・構造の複雑さと高価格のため導入できない。  
などの問題があった。
【００１０】
そこで、本発明が解決しようとする課題は、作業者が使いやすく、軽量安価な単純な構造で、潤滑油塗布環境の汚損が発生しないようにすることにある。
【課題を解決するための手段】
【００１１】
前記課題を解決するため、本発明は、エレベータのガイドレールのガイド部に潤滑油を供給する油供給装置において、手動給油器に接続し、当該手動給油器から潤滑油の供給を受けるための接続側導油管と、前記接続側導油管と連通し、前記ガイド部との間に前記潤滑油を保持した状態で移動可能であって、前記ガイド部に前記潤滑油を注油するための塗布口が形成された給油側導油管と、を備えたことを特徴とする。なお、前記以外の課題、構成及び効果は、以下の実施形態の説明において明らかにされる。
【発明の効果】
【００１２】
本発明によれば、作業者が使いやすく、軽量安価な単純な構造で、潤滑油塗布環境の汚損が発生しないようにすることができる。
【図面の簡単な説明】
【００１３】
【図１】本発明の実施形態に係るエレベータのガイドレールの手動給油器を示す平面図である。
【図２】図１における給油アタッチメントの構成を示す三面図である。
【図３】図２における給油アタッチメントのＡ−Ａ線断面図である。
【図４】図２に示した給油アタッチメントを手動給油器に装着する前の状態を示す使用説明図である。
【図５】図４に示した状態から給油アタッチメントを手動給油器に装着した後の状態を示す使用説明図である。
【図６】図５に示した状態の手動給油器の給油アタッチメントをガイドレールのガイド部に装着したときの状態を示す使用説明図である。
【図７】図６に示した状態から下向きに操作して潤滑油を付着させるときの動作を示す動作説明図である。
【図８】図７に示した状態から上向きに操作して潤滑油を均一に延ばすときの動作を示す動作説明図である。
【図９】図８のＦ部拡大図である。
【図１０】従来技術の問題点を説明するための潤滑油塗布部分を上から見た断面図である。
【図１１】従来技術の問題点を説明するための潤滑油塗布部分を正面から見た要部正面図である。
【発明を実施するための形態】
【００１４】
以下、図面を参照し、本発明の実施形態について説明する。
【００１５】
図１は、本発明の実施形態に係る油供給装置を装着したエレベータのガイドレール手動給油器を示す平面図である。本実施形態に係る油供給装置１１は、汎用の手動給油器（以下、単に「手動給油器」と称す。）３の先端部３Ａに取り付け、取り外し可能に装着されるアタッチメントとして構成されている。油供給装置（以下、「給油アタッチメント」と称す。）１１は、接続側導油管７と塗布側導油管１０とから構成され、両導油管７，１０は接続部７Ａで内部空間７Ｂ，１０Ｅが連通し、中空部１２が形成されている（図３参照）。
【００１６】
接続側導油管７は、接続部７Ａの反対側の端部が手動給油器３の先端部３Ａとの連結部７Ｃとなっており、連結部７Ｃの端面には前記先端部３Ａの外周が嵌り込むような内径の挿入穴６が設けられている。これにより、作業者がガイドレール１に給油若しくは注油する際に、接続側導油管７の挿入穴６を手動給油器３の先端部３Ａに差し込んで装着し、使用することができる。
【００１７】
塗布側導油管１０は、互いに平行な第１及び第２導油部１０Ａ，１０Ｂと、両者を繋ぐ第３導油部１０Ｃとから平面視Ｕ字状に形成され、第３導油部１０Ｃに接続側導油管７との接続部７Ａが設けられている。第１及び第２導油部１０Ａ，１０Ｂの第３導油部１０Ｃとの接続部の反対側の端面は閉鎖端であり、接続側導油管７から導かれる潤滑油は第３導油部１０Ｃを経て第１及び第２導油部１０Ａ，１０Ｂ内に満たされるようになっている。
【００１８】
図２は給油アタッチメント１１を示す三面図で、同図（ａ）は上から見た正面図、同図（ｂ）は左側面図、同図（ｃ）は右側面図である。図３は図２（ｂ）のＡーＡ線断面図である。これらの図から明らかなように給油アタッチメント１１の塗布側導油管１０の第１及び第２導油部１０Ａ，１０Ｂの円周面１０Ｂ１，１０Ｃ１の対向する部分には、二対の第１及び第２塗布口９Ａ，９Ｂが開口し、第３導油部１０Ｃの内側の円周面１０Ｃ１には第３塗布口９Ｃが開口している。
【００１９】
第１及び第２導油部１０Ａ，１０Ｂの相対する前記円周面１０Ａ１，１０Ｂ１間の空間部１０Ｄの間隔８は、ガイド部２のレール幅２Ｄに対し、少なくとも移動可能であって使用する潤滑油４の表面張力による液体高さ４Ｃを考慮した間隔に設定されている（図５参照）。第１塗布口９Ａはガイド部２の第１ガイド面２Ａに対向し、第２塗布口９Ｂは第２ガイド面２Ｂに対向し、第３塗布口９Ｃは第３ガイド面２Ｃに対向する位置に形成されている。
【００２０】
なお、レール幅２Ｄに対し、少なくとも移動可能であって使用する潤滑油４の表面張力による液体高さ４Ｃを考慮した間隔８とは、塗布側導油管１０の前記空間部（Ｕ字内）１０Ｄにガイドレール１のガイド部２が挿入可能な幅寸法を有し、かつ、潤滑油４を第１ないし第３塗布口９Ａ，９Ｂ，９Ｃから第１ないし第３ガイド面２Ａ，２Ｂ，２Ｃ側に供給した際に、前記円周面１０Ｂ１，１０Ｃ１，１０Ｄと前記第１ないし第３ガイド面２Ａ，２Ｂ，２Ｃとの間に隙間が生じても、潤滑油４の表面張力によって前記円周面１０Ａ１，１０Ｂ１，１０Ｃ１と前記第１ないし第３ガイド面２Ａ，２Ｂ，２Ｃとの間の間隙に潤滑油４が保持されるような間隔である。
【００２１】
塗布口９は第１ないし第３ガイド面２Ａ，２Ｂ，２Ｃに対して供給する若しくは注油する潤滑油４の粘度及びガイドレール１のガイド面積を考慮した穴数に設定されている。本実施形態においては、第１及び第２塗布口９Ａ，９Ｂがそれぞれ２個、第３塗布口９Ｃが１個の計５個の穴が形成されているが、この穴数はガイドレール１のガイド部２のガイド面２Ａ，２Ｂ，２Ｃの面積（幅寸法）と潤滑油４の粘度に合わせて適宜設定されるものである。この設定により、常にガイドレール１のガイド部２に対し潤滑油４を滴量で塗布することが可能となる。
【００２２】
これに加えて塗布側導油管１０の空間部１０Ｄの間隔８を前述のような寸法に設定すると、ガイドレール１のガイド部２自体が給油アタッチメント１１のガイドの役目を果たす。その結果、第１ないし第３ガイド面２Ａ，２Ｂ，２Ｃと第１ないし第３塗布口９Ａ，９Ｂ，９Ｃ間の距離を常に一定に保つことが可能となり、作業者が手動給油器３を操作する際にガイドレール１の第１ないし第３ガイド面２Ａ，２Ｂ，２Ｃとの間に空間５が生じることがない。そのため、作業者の熟練度に拠ることなく、常にガイドレール１のガイド部２に対し潤滑油４を適量塗布することができる。
【００２３】
図４ないし図６は給油アタッチメント１１の使用時の状態を示す使用説明図、図７及び図８は付着時と塗布時の動作を示す動作説明図、図９は図８におけるＦ部の拡大図である。
【００２４】
このように構成された給油アタッチメント１１を汎用の手動給油器３に装着して使用する場合、まず、図４及び図５に示すように給油アタッチメント１１の接続側導油管７の挿入穴６に手動給油器３の先端部３Ａを挿入（矢印１３方向）し、給油アタッチメント１１を手動給油器３に装着する。この状態で、図５（ａ）のＢ−Ｂ線要部端断面図である図５（ｂ）に示すように、塗布側導油管１０の第１塗布口９Ａ及び第２塗布口９Ｂから潤滑油４が注油可能となる。なお、図４は図２に示した給油アタッチメント１１を手動給油器３に装着する前の状態を示す使用説明図、図５は図４に示した状態から給油アタッチメント１１を手動給油器３に装着した後の状態を示す使用説明図である。また、図５（ｂ）では、ガイド部２を２点鎖線で示している。
【００２５】
図５に示すように給油アタッチメント１１を手動給油器３に装着した後、図６に示すように給油アタッチメント１１の塗布側導油管１０の空間部１０Ｄをガイドレール１のガイド部２に挿入する（図５矢印１４方向）。空間部１０Ｄの前記間隔８は前述のように塗布側導油管１０が移動可能であって、前記円周面１０Ａ１，１０Ｂ１，１０Ｃ１と前記第１ないし第３ガイド面２Ａ，２Ｂ，２Ｃとの間の間隙に潤滑油４が保持されるような間隔に設定されているので、空間部１０Ｄの奥までガイド部２が入り込むように給油アタッチメント１１を挿入する。このとき、第３塗布口９Ｃからも注油されることから、第３ガイド面２Ｃと第３導油部１０Ｃとの間にも潤滑油４が介在し、移動と潤滑油４の保持が可能である。
【００２６】
なお、図６は図５に示した状態の手動給油器３の給油アタッチメント１１をガイドレール１のガイド部２に装着したときの状態を示す使用説明図で、図６（ａ）は平面図、図６（ｂ）はＣ−Ｃ線断面図である。
【００２７】
このようにしてガイドレール１のガイド部２に給油アタッチメント１１を挿入した状態で、例えば図７に示すように手動給油器３に圧力１８を加えながら下向きに操作１５若しくは移動させる。これにより給油アタッチメント１１の塗布側導油管１０に設けられた第１ないし第３塗布口９Ａ，９Ｂ，９Ｃから潤滑油４が第１ないし第３ガイド面２Ａ，２Ｂ，２Ｃ側に供給され、線状に付着する。符号１９Ａ，１９Ｂ，１９Ｃは線状に付着した潤滑油を示す。これにより潤滑油４は第１ないし第３ガイド面２Ａ，２Ｂ，２Ｃに塗布可能な状態となる。なお、図７は図６に示した状態から下向きに操作して潤滑油４を付着さるときの動作を示す動作説明図で、図７（ａ）は要部正面図、図７（ｂ）は潤滑油の付着状態を示す図７（ａ）のＤ−Ｄ線断面図である。
【００２８】
潤滑油４を第１ないし第３ガイド面２Ａ，２Ｂ，２Ｃに供給し、付着させた後、一様に延ばして塗布したい場合には、図８及び図９に示すように、手動給油器３に加えられた圧力１８を解除した後、給油アタッチメント１１を第１及び第２ガイド面２Ａ，２Ｂに接触２０するまで矢印２１方向に回動させる。そして、第１ないし第３ガイド面２Ａ，２Ｂ，２Ｃに塗布側導油管１０の円周面１０Ａ１，１０Ｂ１を接触させ、この状態で、上向きに操作１６する。これにより第１ないし第３ガイド面２Ａ，２Ｂ，２Ｃに付着した潤滑油４は一様に延ばされ、均一な薄い潤滑油層２２Ａ，２２Ｂ，２２Ｃが形成される。
【００２９】
図８は図７に示した状態から上向きに操作して潤滑油を均一に延ばすときの動作を示す動作説明図で、図８（ａ）は要部正面図、図８（ｂ）は潤滑油の付着状態を示す図８（ａ）のＥ−Ｅ線断面図、図９は図８のＦ部拡大図である。
【００３０】
以上のように、本実施形態によれば、次のような効果を奏する。
【００３１】
（１）エレベータのガイドレール１のガイド部２に潤滑油４を塗布する給油アタッチメント１１（油供給装置）において、手動給油器３に接続し、当該手動給油器３から潤滑油４の供給を受けるための接続側導油管７と、前記接続側導油管７と連通し、前記ガイド部２との間に前記潤滑油４を保持した状態で移動可能であって、前記ガイド部２に前記潤滑油４を注油するための塗布口９が形成された給油側導油管１０と、を備えたので、
・潤滑油４の滴量がガイド部２と給油側導油管１０との間に供給され、作業者の熟練度が不要となる。これにより作業者の使用性が向上する。  
・潤滑油４の滴量がガイド部２と給油側導油管１０との間に供給され、潤滑油４が両者間に保持される。その結果、滴下油滴４Ｂの発生を防止することができる。  
・滴下油滴４Ｂの発生を防止することができることから、潤滑油塗布環境に汚損が発生することがない。  
・接続側導油管７と給油側導油管１０とから構成され、接続側導油管７の挿入穴６に手動給油器３の先端部３Ａを挿入するだけで給油アタッチメント１１を手動給油器３に装着することが可能となる。これにより、軽量安価な単純な構造の給油アタッチメント１１とすることができる。  
などの効果がある。
【００３２】
すなわち、本実施形態によれば、作業者が使いやすく、軽量安価な単純な構造で、潤滑油塗布環境の汚損が発生しないようにすることができる。
【００３３】
（２）前記ガイド部２が互いに平行な第１及び第２ガイド面２Ａ，２Ｂ（第１及び第２のガイド面）と、両者に垂直な第３ガイド面２Ｃ（第３のガイド面）を有し、前記給油側導油管１０が前記第１及び第２ガイド面２Ａ，２Ｂを挟む第１及び第２導油部１０Ａ，１０Ｂ（第１及び第２の導油部）と、両導油部１０Ａ，１０Ｂと連通し、前記第３ガイド面２Ｃに対向する第３導油部１０Ｃ（第３の導油部）とを有し、前記第３導油部１０Ｃに前記接続側導油管７が接続されているので、接続側導油管７から給油アタッチメント１１の第１ないし第３導油部１０Ａ，１０Ｂ，１０Ｃに簡単かつ確実に潤滑油４を供給することができる。
【００３４】
（３）前記第１ないし第３導油部１０Ａ，１０Ｂ，１０Ｃの前記第１ないし第３ガイド面２Ａ，２Ｂ，２Ｃにそれぞれ対向する位置に、前記塗布口９［第１ないし第３塗布口９Ａ，９Ｂ，９Ｃ］が設けられているので、ガイド部２の第１ないし第３ガイド面２Ａ，２Ｂ，２Ｃへの３面同時塗布が可能となる。
【００３５】
（４）前記給油側導油管１０の断面形状が円環状であるので、給油アタッチメント１１の第１及び第２導油部１０Ａ、１０Ｂの第１及び第２ガイド面２Ａ，２Ｂに対する相対的な角度と移動方向を設定することにより、潤滑油４の付着作業と塗布作業を切り分けて効率的に行うことができる。
【００３６】
（５）前記給油アタッチメント１１（油供給装置）を備えた手動給油器３とすることにより、簡単な構成でエレベータのガイドレール１のガイド部２への潤滑油４の塗布作業が可能となる。
【００３７】
（６）前記ガイド部２との間に前記潤滑油４を保持した状態で移動可能であって、前記ガイド部２に前記潤滑油４を注油するための塗布口９が形成された給油側導油管１０、及び前記給油側導油管１０に接続された接続側導油管７を備えた給油アタッチメント１１（油供給装置）を手動給油器３に接続し、前記給油側導油管１０によって前記ガイド部２を挟み込むようにして前記ガイドレールの前記ガイド部２に前記給油アタッチメント１１を装着し、前記手動給油器３を加圧しながら前記手動給油器３を前記ガイド部２に沿って移動させ、前記潤滑油４を前記給油側導油管１０に供給して前記塗布口９から前記潤滑油４を注油して前記ガイド部２に付着させるので、作業者が使いやすく、潤滑油塗布環境の汚損が発生しないようにエレベータのガイドレール１のガイド部２に潤滑油４を塗布することができる。
【００３８】
（７）前記手動給油器３を前記ガイド部２に沿って下向きの方向１５（一方向）に移動させて前記潤滑油４を前記ガイド部２に付着させ、前記潤滑油４を付着させた後、前記手動給油器３を回転させて前記給油側導油管１０を前記ガイド部２に接触させ、前記接触後、前記一方向とは逆の上向きの方向１６（他方向）に移動させて前記ガイド部２に前記潤滑油４を一様に延ばして塗布するので、潤滑油４の第１ないし第３ガイド面２Ａ，２Ｂ，２Ｃへの付着作業と塗布作業を切り分けて効率よく行い、均一な薄い潤滑油層２２Ａ，２２Ｂ，２２Ｃを形成することができる。
【００３９】
なお、前記実施形態における効果の説明では、本実施形態の各部について、特許請求の範囲における各構成要素をかっこ書きで示し、若しくは参照符号を付し、両者の対応関係を明確にした。
【００４０】
さらに、本発明は前述した実施形態に限定されず、本発明の要旨を逸脱しない範囲で種々の変形が可能であり、特許請求の範囲に記載された技術思想に含まれる技術的事項の全てが本発明の対象となる。前記実施形態は、好適な例を示したものであるが、当業者ならば、本明細書に開示の内容から、各種の代替例、修正例、変形例あるいは改良例を実現することができ、これらは添付の特許請求の範囲に記載された技術的範囲に含まれる。
【符号の説明】
【００４１】
１  ガイドレール
２  ガイド部
２Ａ  第１ガイド面
２Ｂ  第２ガイド面
２Ｃ  第３ガイド面
３  手動給油器
４  潤滑油
４Ｂ  滴下油滴
６  挿入穴
７  接続側導油管
９  塗布口
９Ａ  第１塗布口
９Ｂ  第２塗布口
９Ｃ  第３塗布口
１０  給油側導油管
１０Ａ  第１導油部
１０Ｂ  第２導油部
１０Ｃ  第３導油部
１１  給油アタッチメント（油供給装置）
【図１】
2015036320.tif 000003
【図２】
2015036320.tif 000004
【図３】
2015036320.tif 000005
【図４】
2015036320.tif 000006
【図５】
2015036320.tif 000007
【図６】
2015036320.tif 000008
【図７】
2015036320.tif 000009
【図８】
2015036320.tif 000010
【図９】
2015036320.tif 000011
【図１０】
2015036320.tif 000012
【図１１】
2015036320.tif 000013